(57)【特許請求の範囲】
【請求項１】
外箱と内箱と断熱材よりなる断熱箱体と、前記断熱箱体の天面に取り付けた天板と、前記断熱箱体と天板により構成されたキャビネットと、前記キャビネットの前面に対向して取り付けられ外板と内板と断熱材よりなるドアとを備えたものにおいて、前記キャビネットの上端面と前記ドアの上端面を共に、正面から見て中央部に頂上部を有する曲面状に形成して略同一投影面上に設け、断熱箱体の両側面と天板の両側面を略面一に構成し、さらにドアの上端面を側面、上面から見ても曲面状となる三次元曲面に形成するとともに、外板と内板の合わせ目は外板の上端の曲面部を除いて、外板の両側辺および下辺と曲面部の下端に設けられた仕切壁に内板の外周の矩形辺を接合させ、外板の両側辺および下辺と曲面部の下端に設けられた仕切壁に囲まれた空間内に発泡断熱材が充填され、ドア閉時、ドアの上端面と仕切壁の間の裏面空間内にドアヒンジの断熱箱体前面からの突出部が収納されることを特徴とする冷蔵庫。
【請求項２】
ドアの上端面をキャビネットの上端面より若干量上方にずらせて取り付けたことを特徴とする請求項１に記載の冷蔵庫。
【請求項３】
ドアの外板を樹脂成形したことを特徴とする請求項１または２に記載の冷蔵庫。
【請求項４】
キャビネットとドア間を密閉するガスケットは、断熱箱体の前面外周縁に対向するドア裏面に矩形状に配置したことを特徴とする請求項１から３のいずれか一項に記載の冷蔵庫。
【請求項５】
ドアの裏面において、ドアの上端面とガスケットの上辺との間に覆板を設けたことを特徴とする請求項４に記載の冷蔵庫。
【請求項６】
ドアヒンジ収納部を除いて覆板を設けたことを特徴とする請求項５に記載の冷蔵庫。
【請求項７】
断熱箱体を上下に区画する区画壁と、前記区画壁の上部に形成した上部貯蔵室と、前記区画壁の下部に形成した下部貯蔵室と、前記断熱箱体の天面に取り付けた天板と、前記断熱箱体と天板により構成されたキャビネットと、前記上部貯蔵室と下部貯蔵室の前面開口部を密閉するように取り付けられた上部ドアと下部ドアを備えたことを特徴とする請求項１から６のいずれか一項に記載の冷蔵庫。
【発明の詳細な説明】
【０００１】
【発明の属する技術分野】
本発明は、外観意匠を高めた冷蔵庫に関するものである。
【０００２】
【従来の技術】
近年、冷蔵庫においても、世代別のマーケティング調査などから、特に、若い世代向けにターゲットを絞った特徴のある商品が提案されてきている。この種の冷蔵庫の従来例として例えば特開平１１−９４４４４号公報に示されているものが提案されている。
【０００３】
以下、図面を参照しながら上記従来の冷蔵庫を説明する。
【０００４】
図９は従来例を示す冷蔵庫の断面図である。図９において、１は冷蔵庫本体であり、区画壁２により上部に冷蔵室３と野菜室４、下部に冷凍室を区画形成され、上から順に冷蔵室３、野菜室４、冷凍室５と配置され、各室の前面開口部にはヒンジ開閉式の冷蔵室ドア６、引き出し式の野菜室ドア７、引き出し式の冷凍室ドア８がそれぞれ独立して設けられている。また、９は冷蔵庫本体１の天面部に取り付けられた平面状の天板である。
【０００５】
そして、一定の据え付けスペースにおいて、上部に電子レンジなどを載置した場合の使い勝手を確保した上で庫内の収納容量を極大化するために、冷蔵庫本体１の床面よりの高さｈを１１００ｍｍから１３２０ｍｍの範囲とするのが好都合であるとしている。
【０００６】
また、この提案の冷蔵庫は、主として単身の自炊生活者、中でも女性をターゲットとし、まとめ買いや飲料、調味料の収納に対応するため単身用でありながら収納容量を２００ｌクラスとしている。さらに、近年の健康志向にあって野菜の収納量や使い勝手に配慮して、野菜室を中段に配置し野菜室の扉を独立したドアとすることでこれに対応している。
【０００７】
【発明が解決しようとする課題】
しかしながら、上記従来例は、ターゲットとする女性の単身自炊生活者に対して、実用面ではそのニーズに応えるものではあるものの、一方で近年の若年世代に共通したコンセプトである外観デザインやスタイルの面からは斬新さに欠け、２００ｌクラスの比較的小さな容量で冷蔵室ドア６、野菜室ドア７、冷凍室ドア８の独立した３ドア構成としていることからスッキリ感やスマートさに欠けるデザインとなっている。そして、近年、家具だけでなく家電品を生活必需品でなく生活空間を彩るインテリアとして捉える若年層の購買意欲を実用面とデザイン面の両面から喚起することができないという欠点があった。
【０００８】
本発明は上記従来の課題を解決するもので、若年層の実用面のニーズとデザイン面のニーズをともに満足する冷蔵庫を提供することを目的とする。
【０００９】
【課題を解決するための手段】
この目的を達成するため本発明の冷蔵庫は、断熱箱体と天板により構成されたキャビネットの前面に対向して取り付けられたドアを備えたものにおいて、キャビネットの上端面と前記ドアの上端面を共に、正面から見て中央部に頂上部を有する曲面状に形成して略同一投影面上に設けたのである。
【００１０】
これにより、正面から見てドアとキャビネットが一体化した特徴のある外観デザインをもった冷蔵庫を提供できる。
【００１１】
また、本発明は、ドアの上端面を側面、上面から見ても曲面状となる三次元曲面に形成したのである。
【００１２】
これにより、正面からだけでなく側方や斜め上方から見ても曲面を多用した連続性のある、より優れた外観デザインとなりインテリア性を高めることができる。
【００１３】
また、本発明は、断熱箱体と天板により構成されたキャビネットと、断熱箱体内に形成した上部貯蔵室と下部貯蔵室を密閉するように取り付けられた上部ドアと下部ドアを備えたものにおいて、キャビネットの上端面と上部ドアの上端面を共に、正面から見て中央部に頂上部を有する曲面状に形成して略同一投影面上に設けるとともに、正面から見てドアヒンジが上部ドアの投影面内に隠れ、下部ドアの下端面を曲面状に形成したのである。
【００１４】
これにより、外観デザインだけでなく収納性や収納容量など実用性の高い冷蔵庫を提供できる。
【００１５】
また、本発明は、上部貯蔵室を冷蔵室として前記冷蔵室内下部に野菜室を区画形成し、下部貯蔵室を冷凍室としたのである。
【００１６】
これにより、外観デザインに加えて、さらに使い勝手を高めた冷蔵庫を提供できる。
【００１７】
【発明の実施の形態】
本発明の請求項１に記載の発明は、外箱と内箱と断熱材よりなる断熱箱体と、前記断熱箱体の天面に取り付けた天板と、前記断熱箱体と天板により構成されたキャビネットと、前記キャビネットの前面に対向して取り付けられ外板と内板と断熱材よりなるドアとを備えたものにおいて、前記キャビネットの上端面と前記ドアの上端面を共に、正面から見て中央部に頂上部を有する曲面状に形成して略同一投影面上に設け、断熱箱体の両側面と天板の両側面を略面一に構成し、さらにドアの上端面を側面、上面から見ても曲面状となる三次元曲面に形成するとともに、外板と内板の合わせ目は外板の上端の曲面部を除いて、外板の両側辺および下辺と曲面部の下端に設けられた仕切壁に内板の外周の矩形辺を接合させ、外板の両側辺および下辺と曲面部の下端に設けられた仕切壁に囲まれた空間内に発泡断熱材が充填され、ドア閉時、ドアの上端面と仕切壁の間の裏面空間内にドアヒンジの断熱箱体前面からの突出部を収納したものであり、正面から見てドアとキャビネットが一体化し、丸みを帯びたアンティークな特徴のある外観デザインをもち、インテリア性が高まるとともに、ヒンジ部の収納を含めたすっきり感が高まる。
【００２０】
請求項２に記載の発明は、請求項１に記載の発明において、ドアの上端面をキャビネットの上端面より若干量上方にずらせて取り付けたものであり、使用中にドア下がりが生じても正面から見てドアとキャビネットの上下のズレがカバーされ、デザインを損ねない。
【００２１】
請求項３に記載の発明は、請求項１または２に記載の発明において、ドアの外板を樹脂成形したものであり、曲面形状を容易に表現できる。
【００２２】
請求項４に記載の発明は、請求項１から３のいずれか一項に記載の発明において、キャビネットとドア間を密閉するガスケットは、断熱箱体の前面外周縁に対向するドア裏面に矩形状に配置したものであり、ガスケットの形状が複雑にならず、庫内外が確実にシールされる。
【００２７】
請求項５に記載の発明は、請求項４に記載の発明に、さらに、ドアの裏面において、ドアの上端面とガスケットの上辺との間に覆板を設けたものであり、ドア開時のドア裏面デザインを損ねない。
【００２８】
請求項６に記載の発明は、請求項５に記載の発明において、ドアヒンジ収納部を除いて覆板を設けたものであり、ドア裏面デザインを維持しながらヒンジの出入り部が確保される。
【００３１】
請求項７に記載の発明は、請求項１から６のいずれか一項に記載の発明において、断熱箱体を上下に区画する区画壁と、前記区画壁の上部に形成した上部貯蔵室と、前記区画壁の下部に形成した下部貯蔵室と、前記断熱箱体の天面に取り付けた天板と、前記断熱箱体と天板により構成されたキャビネットと、前記上部貯蔵室と下部貯蔵室の前面開口部を密閉するように取り付けられた上部ドアと下部ドアを備えたものであり、外観デザインに加え、区分収納による収納性や収納容量など実用性が付加される。
【００３６】
【実施例】
以下、本発明による冷蔵庫の実施例について、図面を参照しながら説明する。
【００３７】
（実施例１）
図１は、本発明の実施例１による冷蔵庫の正面図である。図２は同実施例による冷蔵庫の縦断面図である。図３は同実施例による冷蔵庫の上部ドア開放時の正面図である。図４は同実施例による冷蔵庫の上部ドアの正面図である。図５は同実施例による冷蔵庫の上部ドアの斜視図である。
【００３８】
図１から図５において、１０は冷蔵庫のキャビネットであり、断熱箱体１１と断熱箱体１１の天面に取り付けた樹脂製の天板１２により構成されている。断熱箱体１１は鋼板製の外箱１３、樹脂製の内箱１４と外箱１３、内箱１４間に充填された断熱材１５により構成されている。そして、天板１２は正面から見て中央部に頂上部を有する曲面状に形成されており、その両側端面は断熱箱体１１の両側面と略面一になるよう取り付けられている。
【００３９】
１６はキャビネット１０内を上下に区画する区画壁であり、上部に冷蔵室１７、下部に冷凍室１８を区画形成している。１９は冷蔵室１７内の下部に形成した野菜室である。２０は冷蔵室１７の前面開口部に取り付けたヒンジ開閉式の冷蔵室ドア、２１は冷凍室１８の前面開口部に取り付けた引き出し式の冷凍室ドアである。
【００４０】
ここで、冷蔵室ドア２０はその上端面を正面から見て中央部に頂上部を有する曲面状に形成されており、冷凍室ドア２１は下端面を曲面状に形成されている。また、図２に示すように、側面から見ても冷蔵室ドア２０は上方に、冷凍室ドア２１は下方に向けて共に曲面状に形成され、図５のように三次元曲面を有するドアを形成している。
【００４１】
そして、キャビネット１０の上端面と冷蔵室ドア２０の上端面は、正面から見て略同一投影面上に配置されている。
【００４２】
次に冷蔵室ドア２０の周辺詳細について述べる。冷蔵室ドア２０は三次元曲面状に樹脂成形された外板２２と真空成形された外周矩形状の樹脂製の内板２３を合わせて内部に形成された空間に発泡断熱材２４を充填発泡させている。ここで、外板２２と内板２３の合わせ目は外板２２の上端の曲面部２５を除いて、外板２２の両側辺および下辺と曲面部２５の下端に設けられた仕切壁２６に内板２３の外周の矩形辺を接合させることで構成される。
【００４３】
そして、外板２２の両側辺および下辺と曲面部２５の下端に設けられた仕切壁２６に囲まれた空間内に発泡断熱材２４が充填されている。また、２７は冷蔵室１７の外周において断熱箱体１１と冷蔵室ドア２０間を密閉シールするための外形矩形状のガスケットであり、内板２３の外周に形成した溝（図示せず）に圧入して取り付けられている。
【００４４】
２８、２９は断熱箱体１１の天面、区画壁１６の前面にそれぞれ取り付けられた冷蔵室ドア２０のドアヒンジであり、前方に突出した突出部３０、３１の先端近傍に設けた軸３２、３３を冷蔵室ドア２０の上下に設けた軸受け部３４、３５に嵌挿することによって冷蔵室ドア２０を開閉自在に支持している。
【００４５】
このうち、上部のドアヒンジ２８は断熱箱体１１の天面にビス止めで固定された後、天板１２で上より覆われ、僅かな切り欠き部３６より断熱箱体１１の前方に突出部３０を突出させている。突出部３０はドア閉時、冷蔵室ドア２０の上端の曲面部２５の裏面空間内に収まるよう配置されると同時に、ドア開時に冷蔵室ドア２０の側端辺が衝突せず回転動作できるように、ドアの回転軌跡に合わせて切り欠き部３７が形成されている。突出部３０の先端近傍に設けた軸３２は冷蔵室ドア２０の裏面に設けた仕切壁２６に取り付けた軸受け部３４内に嵌挿されて冷蔵室ドア２０を支持している。
【００４６】
そして、ドアヒンジ２８は正面から見て冷蔵室ドアの投影面内に隠され、側面から見てもほとんど天板１２と冷蔵室ドア２０内に隠された形で配置される。
【００４７】
また、床面からキャビネット１０の上端部までの高さＨを１１００ｍｍ〜１５００ｍｍの範囲となるようにしている。
【００４８】
以上のように構成された冷蔵庫について、次にその作用について説明する。
【００４９】
冷蔵庫を前方から見たとき、キャビネット１０の上端部と冷蔵室ドア２０の上端部がほぼ同一投影面上に上に膨らんだ形の曲面形状を描き、美しい一体感を醸し出す。キャビネット１０の上端部は樹脂成形した天板１２を側面略面一に接合しているためデザインに連続性がでる。なお、製造上の組み立てバラツキや経年使用におけるドア下がりによるデザインのズレを考慮すれば、冷蔵室ドア２０の上端面を予め若干量上方にずらせておくのもよく、外観デザイン維持の有効な対策となる。
【００５０】
そして、前方より見て冷蔵室上部のドアヒンジ２８が冷蔵室ドア２０の投影面内に隠れて見えないためさらにデザインがスッキリする。また、側方から見た場合も冷蔵室ドア２０の上部が曲面上に形成され、且つ、ドアヒンジ２８が天板１２と冷蔵室ドア２０に隠れてほとんど見えずデザイン効果が高い。
【００５１】
さらに、冷蔵室ドア２０の曲面部２５が三次元曲面で構成されているため、前方、側方からだけでなく斜め上方からも含めて角度を変えて見ても、丸みを帯びた連続性のあるアンティークなデザインとなるため若年世代のキッチンや部屋のインテリアとしても望ましいものになる。冷蔵室ドア２０は樹脂成形品とすることで複雑な三次元曲面を容易に構成でき好都合である。
【００５２】
本実施例においては、キャビネット１０の床面からの全高Ｈを１１００ｍｍ〜１５００ｍｍの範囲とし、断熱箱体１１の上部を使用頻度の高い冷蔵室１７としたため、使用者が冷蔵庫の前に立った状態で室内全体が見渡せて使いやすく、最上段の棚への出し入れもしやすい。また、野菜室１９が冷蔵室１７の下部にあり使用者の腰近辺の高さで内部が見渡しやすく出し入れしやすい。
【００５３】
また、「図説エルゴノミクス」（１９９０年、日本規格協会編）によると、日本人の女性の平均的な身長（１５７３ｍｍ）における目の高さが１４５５ｍｍであることから、履き物などの寸法や冷蔵庫から距離を置くことによる上方への視野の広がりなどを考慮に入れて、概ね全高Ｈが１５００ｍｍ以下であると冷蔵庫の前方に立った人には冷蔵室ドア上部の曲面部２５の三次元曲面が自然な形で目に入ることになり、外観デザインの特徴が目につきやすい。
【００５４】
一方、冷凍室ドア２１も下端面を曲面状に形成されているため、冷蔵室ドア２０の上端面から冷凍室ドア２１の下端面まで一体感のある三次元曲面状のデザインに映り、２ドア冷蔵庫でありながらスッキリ感やスマートさを演出できる。また、野菜室１９に独立したドアを設けず冷蔵室１７の内部に収めたためにスッキリした外観となり、高さ配置などの使い勝手を維持しながら外観デザインを損ねることがない。さらに、冷凍室ドア２１を引き出し式ドアとしたことでドアヒンジが不要となり、腰から下の使い勝手に配慮しながら、ドアヒンジが露出することによるスッキリ感の低下を抑えることができる。
【００５５】
また、冷蔵室ドアの内板２３は外周を矩形状に形成されて、その上辺は冷蔵室ドアの曲面部２５の下部裏面に形成した仕切壁２６と相対して配置されており、内板２３の外周に沿った溝（図示せず）内に取り付けられるガスケット２７をドアの外形に対して簡素な形状とすることができる。
【００５６】
そして、仕切壁２６に軸受け部３４を取り付けてドアヒンジ２８の軸３２を嵌挿支持しているため、従来のようにドアヒンジ２８をドア上辺に取り付ける必要がなく、曲面部２５の裏面に形成された空間にドアヒンジ２８が隠れて外観を損ねず、またドア閉時にはこの空間内にドアヒンジ２８の突出部３０が収納されて邪魔にならない。一方ドア開時には、突出部３０の切り欠き部３７に冷蔵室ドア２０の側端辺が誘導されるため衝突することなく回転動作できる。
【００５７】
このように本実施例によると、三次元曲面を利用した外観デザインの特徴が自然な形で人の目に入るように配慮され、特に若年世代に対しては台所や室内のインテリアとしても受け入れられるアンティークでユニークな冷蔵庫を提供できる。また、近年の傾向を取り入れて野菜室１９を中央に配置し、上部に冷蔵室１７、下部に冷凍室１８を配置して使い勝手を高めながらも、野菜室１９を敢えて冷蔵室内に収めることによってドア数が増えることによる外観デザインの抽象さを回避することができ、上下一体感のある曲面デザインで実用性とデザイン性を両立した冷蔵庫を提供できる。
【００５８】
（実施例２）
図６は、本発明の実施例２による冷蔵庫の縦断面図である。図７は同実施例による冷蔵庫の上部ドア開放時の正面図である。図８は同実施例による冷蔵庫の上部ドアの要部分解斜視図である。
【００５９】
図６から図８において、３８は冷蔵室ドアであり、上部の曲面部３９の裏面空間にドアヒンジ２８と対向する側端位置に略Ｌ型の仕切壁４０が設けられドアヒンジ収納部４１が形成されている。ドアヒンジ収納部４１以外の曲面部３９には庫内側からその空間を覆う覆板４２が設けられている。なお、覆板４２はドア裏面から別部品を接着などで固定してもよいし、スライド金型などを利用しドアと樹脂で一体成形してもよい。
【００６０】
また、内板２３の上辺は覆板４２の下端部と重合し、この重合部は内板２３の外周縁に取り付けたガスケット２７で意匠的に隠される。冷蔵室ドア３８は覆板４２の裏面空間も含めてドアヒンジ収納部４１を除いた空間に発泡断熱材４３が充填される。
【００６１】
一方、ドアヒンジ収納部４１にはドアヒンジ２８の突出部３０が収納され、略Ｌ型の仕切壁４０の下辺壁に取り付けた軸受け部３４に突出部３０の先端近傍の軸３２を嵌挿して冷蔵室ドア３８を回転自在に支持するよう構成されている。また、４４はドアヒンジ収納部４１をドア裏面より覆う覆板であり、ドアヒンジ２８の突出部３０がドア開閉により出入りするための切り欠き部４５が設けられている。
【００６２】
以上のような構成において、冷蔵室ドア３８の開放時、ドア裏面の上部の曲面部３９に設けた覆板４２によりデザイン効果が高まる。また、ドアヒンジ２８が開閉に支障を生じない範囲で最大限覆板４４により覆われているためドアヒンジ２８の露出によりデザインを損ねることがない。
【００６３】
また、ドアヒンジ収納部４１を除いて発泡断熱材４３が大部分に充填発泡されるため冷蔵室ドア３８の強度を高めることができる。
【００６４】
このように本実施例によると、実施例１に示した外観デザインの効果に加えて、ドアを開けたときのデザイン効果も併せて高めることができ、デザイン重視のユーザーの満足度を一層高めることができる。
【００６５】
【発明の効果】
以上説明したように請求項１に記載の発明は、外箱と内箱と断熱材よりなる断熱箱体と、前記断熱箱体の天面に取り付けた天板と、前記断熱箱体と天板により構成されたキャビネットと、前記キャビネットの前面に対向して取り付けられ外板と内板と断熱材よりなるドアとを備えたものにおいて、前記キャビネットの上端面と前記ドアの上端面を共に、正面から見て中央部に頂上部を有する曲面状に形成して略同一投影面上に設け、断熱箱体の両側面と天板の両側面を略面一に構成し、さらにドアの上端面を側面、上面から見ても曲面状となる三次元曲面に形成するとともに、外板と内板の合わせ目は外板の上端の曲面部を除いて、外板の両側辺および下辺と曲面部の下端に設けられた仕切壁に内板の外周の矩形辺を接合させ、外板の両側辺および下辺と曲面部の下端に設けられた仕切壁に囲まれた空間内に発泡断熱材が充填され、ドア閉時、ドアの上端面と仕切壁の間の裏面空間内にドアヒンジの断熱箱体前面からの突出部を収納したものであり、正面から見てドアとキャビネットが一体化し、丸みを帯びたアンティークな特徴のある外観デザインをもち、インテリア性が高まるとともに、ヒンジ部の収納を含めたすっきり感を高めた冷蔵庫を提供できる。
【００６８】
また、請求項２に記載の発明は、請求項１に記載の発明において、ドアの上端面をキャビネットの上端面より若干量上方にずらせて取り付けたものであり、使用中にドア下がりが生じても正面から見てドアとキャビネットの上下のズレがカバーされ、デザインを損ねない。
【００６９】
また、請求項３に記載の発明は、請求項１または２に記載の発明において、ドアの外板を樹脂成形したものであり、曲面形状を容易に表現できる。
【００７０】
また、請求項４に記載の発明は、請求項１から３のいずれか一項に記載の発明において、キャビネットとドア間を密閉するガスケットは、断熱箱体の前面外周縁に対向するドア裏面に矩形状に配置したものであり、ガスケットの形状が複雑にならず、庫内外が確実にシールされる。
【００７５】
また、請求項５に記載の発明は、請求項４に記載の発明に、さらに、ドアの裏面において、ドアの上端面とガスケットの上辺との間に覆板を設けたものであり、ドア開時のドア裏面デザインを損ねない。
【００７６】
また、請求項６に記載の発明は、請求項５に記載の発明において、ドアヒンジ収納部を除いて覆板を設けたものであり、ドア裏面デザインを維持しながらヒンジの出入り部が確保される。
【００７９】
また、請求項７に記載の発明は、請求項１から６のいずれか一項に記載の発明において、断熱箱体を上下に区画する区画壁と、前記区画壁の上部に形成した上部貯蔵室と、前記区画壁の下部に形成した下部貯蔵室と、前記断熱箱体の天面に取り付けた天板と、前記断熱箱体と天板により構成されたキャビネットと、前記上部貯蔵室と下部貯蔵室の前面開口部を密閉するように取り付けられた上部ドアと下部ドアを備えたものであり、外観デザインに加え、区分収納による収納性や収納容量など実用性が付加される。
【図面の簡単な説明】
【図１】本発明による冷蔵庫の実施例１の正面図
【図２】同実施例の冷蔵庫の縦断面図
【図３】同実施例の冷蔵庫の上部ドア開時の正面図
【図４】同実施例の冷蔵庫の上部ドアの正面図
【図５】同実施例の冷蔵庫の上部ドアの斜視図
【図６】本発明による冷蔵庫の実施例２の断面図
【図７】同実施例の冷蔵庫の上部ドア開時の正面図
【図８】同実施例の冷蔵庫の上部ドアの分解斜視図
【図９】従来の冷蔵庫の縦断面図
【符号の説明】
１０  キャビネット
１１  断熱箱体
１２  天板
１３  外箱
１４  内箱
１５  発泡断熱材
１６  区画壁
１７  冷蔵室
１８  冷凍室
１９  野菜室
２０  冷蔵室ドア（上部ドア）
２１  冷凍室ドア（下部ドア）
２２  外板
２３  内板
２４  発泡断熱材
２５  曲面部
２６  仕切壁
２７  ガスケット
２８  ドアヒンジ
３０  突出部
３２  軸
３４  軸受け部
３８  冷蔵室ドア（上部ドア）
３９  曲面部
４０  略Ｌ型の仕切壁
４１  ドアヒンジ収納部
４２  覆板
４３  発泡断熱材
４４  覆板
４５  切り欠き部
【図１】
0003576047.tif 000002
【図２】
0003576047.tif 000003
【図３】
0003576047.tif 000004
【図４】
0003576047.tif 000005
【図５】
0003576047.tif 000006
【図６】
0003576047.tif 000007
【図７】
0003576047.tif 000008
【図８】
0003576047.tif 000009
【図９】
0003576047.tif 000010